(57)【要約】【課題】仰向けに気持ち良く眠れると共に、寝返りが打ち易く、褥瘡や腰痛等を予防し得る敷マットを提供する。【解決手段】マット中央部に体躯身長方向に延びる脊椎支持部１６を設ける。脊椎支持部１６の両側には楔形状の第１体側保持部１７を設ける。第１体側保持部１７の外側には第２体側保持部１８を設け、敷マット１の内部を立体多室構造とする。敷マット内部には合成樹脂製のパイプ材を充填し、その密度により、第２体側保持部１８（Ｈ２）、脊椎支持部１６（Ｈ０）、第１体側保持部１７（Ｈ１）の順に硬くなるよう調整する（Ｈ１＜Ｈ０≦Ｈ２）。敷マット１に人が仰向けに横たわると、その脊椎が脊椎支持部１６にて支持されると共に、体幹の左右が第１体側保持部１７によって保持される。敷マット１上の人が寝返りを打つと、第２体側保持部１８が体をサポートする。【選択図】      図４
2004181097.tif 000002
【特許請求の範囲】
【請求項１】
マット中央部に形成され、体躯身長方向に延びる脊椎支持部と、
前記脊椎支持部の両側にそれぞれ形成された第１体側保持部と、
前記第１体側保持部の外側にそれぞれ形成された第２体側保持部とを有することを特徴とする敷マット。
【請求項２】
請求項１記載の敷マットにおいて、第１体側保持部は前記敷マット内部に形成され、前記脊椎支持部の側端から前記第２体側保持部内に突出形成されることを特徴とする敷マット。
【請求項３】
請求項１又は２記載の敷マットにおいて、前記第１体側保持部は、前記脊椎支持部の側端から先端側に向かって体躯身長方向断面の面積が小さくなることを特徴とする敷マット。
【請求項４】
請求項３記載の敷マットにおいて、前記第１体側保持部は、Ｖ字形の体躯横断方向断面を有することを特徴とする敷マット。
【請求項５】
請求項３記載の敷マットにおいて、前記第１体側保持部は、楕円形の体躯横断方向断面を有することを特徴とする敷マット。
【請求項６】
請求項１〜５の何れか１項に記載の敷マットにおいて、前記脊椎支持部の硬度は、被検者を垂直面の前に解剖学的自然位で直立させ、その踵骨後面を垂直面に接触させず肩甲骨背側面の頂点と殿部の頂点を軽く前記垂直面に密着させた状態で、前記垂直面に平行で後頭骨後部の頂点に接する面と前記垂直面との距離に基づいて設定されることを特徴とする敷マット。
【請求項７】
請求項１〜６の何れか１項に記載の敷マットにおいて、前記第１体側保持部は、前記第２体側保持部よりも硬度が低いことを特徴とする敷マット。
【請求項８】
請求項１〜７の何れか１項に記載の敷マットにおいて、前記第１体側保持部は、前記脊椎支持部よりも硬度が低いことを特徴とする敷マット。
【請求項９】
請求項１〜８の何れか１項に記載の敷マットにおいて、前記脊椎支持部は、前記第２体側保持部よりも硬度が低いことを特徴とする敷マット。
【請求項１０】
請求項１〜９の何れか１項に記載の敷マットにおいて、前記敷マットは、頭部支持部と、前記頭部支持部と接続された胸臀部支持部と、前記胸臀部支持部と接続された足部支持部とを有することを特徴とする敷マット。
【請求項１１】
請求項９記載の敷マットにおいて、前記頭部支持部は、前記胸臀部支持部との接続部位から体躯身長方向に沿って高さが増加する傾斜面を有することを特徴とする敷マット。
【請求項１２】
請求項１０又は１１記載の敷マットにおいて、前記胸臀部支持部は、前記足部支持部との接続部位から体躯身長方向に沿って高さが増加する傾斜面を有することを特徴とする敷マット。
【請求項１３】
請求項１〜１２の何れか１項に記載の敷マットにおいて、前記敷マットは、その内部に合成樹脂製のパイプ材が充填されてなることを特徴とする敷マット。
【請求項１４】
請求項１〜１２の何れか１項に記載の敷マットにおいて、前記敷マットは、低反発ウレタン又は綿にて形成されることを特徴とする敷マット。
【発明の詳細な説明】
【０００１】
【発明の属する技術分野】
本発明は、人体を横たえるために使用される敷マットに関し、特に、褥瘡や腰痛、背部痛の予防に有効な敷マットに関する。
【０００２】
【従来の技術】
従来より、寝たきり状態にある病人の褥瘡防止や、腰痛や背部痛の改善や予防に、種々の工夫を凝らした敷マットが提案されている。例えば、シリコン系ゲルや熱弾性ポリマ等をマット内部に充填したものや、ウレタンフォームや超柔軟合成ゴムなどによってマット本体を成型したものなど、多くの種類が実際に販売されている。
【０００３】
【特許文献１】特開平５−４９５２２号号公報
【特許文献２】特開２０００−２７９２７７号公報
【特許文献３】特開２００１−１０４１０４号公報
【特許文献４】特開２００１−１６１７６８号公報
【特許文献５】特開２００１−２１８６５１号公報
【０００４】
【発明が解決しようとする課題】
このような従来の敷マットは、褥瘡防止や腰痛予防等には確かにそれなりの効果はある。しかしながら、脊椎を個人の体躯に適した硬度にて支持すると共に、体側を適度な硬度にて保持し、褥瘡や腰痛のみならず寝返りの容易性をも確保したものは存在しなかった。すなわち、従来の敷マットは、計測値から導き出された適正硬度ではなく、単に体圧の均等分散など、専ら敷マット上における体躯の静的状態の改善が目的とされており、解剖学的自然位に近い体幹の維持や、寝返りのような動的状態の改善は考慮されてこなかった。人間は睡眠時に解剖学的自然位に近い体幹を維持し適度の寝返りを打つことから、その容易性が睡眠の快適性を左右すると言っても過言ではなく、褥瘡等の防止と共に、横たえた体を動し易い敷マットが求められていた。
【０００５】
本発明の目的は、仰向けに気持ち良く眠れると共に、寝返りが打ち易く、褥瘡や腰痛等を予防し得る敷マットを提供することにある。
【０００６】
【課題を解決するための手段】
本発明の敷マットは、マット中央部に形成され体躯身長方向に延びる脊椎支持部と、前記脊椎支持部の両側にそれぞれ形成された第１体側保持部と、前記第１体側保持部の外側にそれぞれ形成された第２体側保持部とを有することを特徴とする。
【０００７】
本発明にあっては、敷マットを脊椎支持部と第１及び第２体側保持部とからなる立体多室構造としたので、敷マットに人が仰向けに横たわると、その脊椎が脊椎支持部にて支持されると共に、体幹の左右が第１体側保持部によって保持され、第２体側保持部がその補助的保持を行う。一方、敷マット上の人が寝返りを打つと、体が第１体側保持部にて保持されつつ体幹の向きが変わる。すなわち、仰向けの姿勢では脊椎支持部と第１体側保持部が体を保持し、寝返り時には第２体側保持部が緩衝部として作用して体をサポートする。従って、寝返り動作を反発感なくスムーズに行うことができ、褥瘡や腰痛をも防止すると共に、気持ちの良い寝心地を実現することが可能となる。
【０００８】
前記敷マットにおいて、第１体側保持部を前記敷マット内部に形成し、前記脊椎支持部の側端から前記第２体側保持部内に突出形成するようにしても良い。また、前記第１体側保持部を、前記脊椎支持部の側端から先端側に向かって体躯身長方向断面の面積が小さくなるように形成しても良い。さらに、前記第１体側保持部の体躯横断方向断面をＶ字形としたり、楕円形としたりしても良い。
【０００９】
また、前記敷マットにおいて、前記脊椎支持部の硬度を、被検者を垂直面の前に解剖学的自然位で直立させ、その踵骨後面を垂直面に接触させず肩甲骨背側面の頂点と殿部の頂点を軽く前記垂直面に密着させた状態で、前記垂直面に平行で後頭骨後部の頂点に接する面と前記垂直面との距離に基づいて設定するようにしても良い。これにより、敷マット上に横たわる人それぞれに心地よい睡眠を与えると共に、脊椎の不自然な湾曲が強制されることによって起こる体幹背部の不快感や腰痛、背部痛の出現を予防できる。
【００１０】
前記敷マットにおいて、前記第１体側保持部の硬度を前記第２体側保持部の硬度よりも低く設定しても良い。また、前記第１体側保持部の硬度を前記脊椎支持部の硬度よりもが低く設定しても良い。さらに、前記脊椎支持部の硬度を前記第２体側保持部の硬度よりも低く設定しても良い。
【００１１】
一方、前記敷マットを、頭部支持部と、前記頭部支持部と接続された胸臀部支持部と、前記胸臀部支持部と接続された足部支持部とを有する構成としても良い。この際、前記頭部支持部に前記胸臀部支持部との接続部位から体躯身長方向に沿って高さが増加する傾斜面を設けたり、前記胸臀部支持部に前記足部支持部との接続部位から体躯身長方向に沿って高さが増加する傾斜面を設けたりしても良い。
【００１２】
加えて、前記敷マットの内部に合成樹脂製のパイプ材を充填しても良く、前記敷マットを低反発ウレタンや綿にて形成しても良い。
【００１３】
【発明の実施の形態】
以下、本発明の実施の形態を図面に基づいて詳細に説明する。図１は本発明の一実施の形態である敷マットの構成を示す斜視図、図２（ａ）は図１の敷マットの側面図、図２（ｂ）はその平面図である。敷マット１は、図１，２に示すように、体躯身長方向（長手方向）に沿って３つの部位に分割されており、図中右側から、頭部支持部２、胸臀部支持部３及び足部支持部４となっている。敷マット１は後述のように全長が１９５０ｍｍ・全幅が８８０ｍｍであり、これを一体に縫製あるいは成型するのは設備や手間の問題から効率的ではない。このような分割構造を採れば、これらの点が容易となるのみならず、使用者側での組み立てや洗濯、修理、交換などの点でも有利である。
【００１４】
敷マット１の表皮５は通気性の良いメッシュ地からなり、内部には合成樹脂製のパイプ材が充填されている。表皮５の素材としては、木綿や麻、絹などの天然繊維、ポリエステルやナイロン等の合成樹脂、それらを混紡したものなど種々の材料が使用される。このように敷マット１はそれ自体非常に通気性が良く、ウォータベッドやエアマットのようにマット面が蒸れることがなく、褥瘡の予防に好適である。また、頭部支持部２等の各ユニットは、家庭にて丸洗いすることができる。なお、表皮５の外側には、抗菌・消臭・静電気防止等の処理を施した図示しない補助シーツを取り付けて使用する。
【００１５】
頭部支持部２と胸臀部支持部３の上下面はそれぞれ傾斜面６ａ，６ｂ、７ａ，７ｂとなっている。傾斜面７ａ，７ｂは足部支持部４との接続部位から、傾斜面６ａ，６ｂは胸臀部支持部３との接続部位から徐々に高さが増加する。敷マット１の各部の寸法は、体躯身長方向の全長が１９５０ｍｍ、体躯横断方向の全幅が８８０ｍｍとなっている。頭部支持部２と胸臀部支持部３の体躯身長方向の長さは５７０ｍｍ、足部支持部４の体躯身長方向の長さは８１０ｍｍとなっている。敷マット１の自由時の厚みは、足部支持部４では均一に８０ｍｍとなっているが、胸臀部支持部３では８０ｍｍ〜１２０ｍｍ、頭部支持部２では１２０ｍｍ〜１６０ｍｍとなっている。なお、敷マット１の両側部８はやや曲面状に膨出しており、その部分の断面は略半円状となっている。
【００１６】
図３は、敷マット１を平面９に載置し、その上に人１１が横たわった状態を示す説明図である。敷マット１は平面９に載置されると、頭部支持部２と胸臀部支持部３の下面側の傾斜面６ｂ，７ｂが平面９に倣って、自重によってやや潰れた形となる。そのとき、敷マット１の厚みは、足部支持部４は約７５ｍｍ、胸臀部支持部３では約７５ｍｍ〜１００ｍｍ、頭部支持部２では約１００ｍｍ〜１４０ｍｍ程度となる。その状態で人１１が横たわると、頭部支持部２にて人１１の頭部１２が、胸臀部支持部３にて胸背部１３及び臀部１４が、足部支持部４にて足部１５がそれぞれ支持される。
【００１７】
図４は胸臀部支持部３の構成を示す斜視図であり、図中手前側が足部支持部４と、奥側が頭部支持部２と接続される。また、図５は図４のＡ−Ａ線に沿った断面図である。なお、頭部支持部２もこれと同様の構成となっている。頭部支持部２と胸臀部支持部３では、その中央部に体躯身長方向に向かって延びる脊椎支持部１６が形成されている。脊椎支持部１６の両側には第１体側保持部１７が形成され、さらにその外側には第２体側保持部１８が形成されており、敷マット１の内部は、図４に示すように複数の部屋に区画された立体多室構造となっている。
【００１８】
脊椎支持部１６は個人の体型に合った硬さに調節され、人１１が横たわると自然に脊椎の生理的湾曲が維持されるようになっている。図６は、脊椎支持部１６の最適硬度を設定するための体型計測手法を示す説明図である。図６に示すように、ここではまず、人１１（被検者）を垂直面１９の前に解剖学的自然位で直立させる。次に、人１１の踵骨後面２１を垂直面１９に接触させず、肩甲骨背側面の頂点２２と殿部の頂点２３を軽く垂直面１９に密着させる。その状態で、垂直面１９に平行で後頭骨後部の頂点２４に接する面２５と垂直面１９との距離Ｘを測定する。
【００１９】
発明者の実験によれば、ＪＩＳ  Ｓ６０５０に準拠した性能をもつ株式会社テクロック製のゴム硬度計ＧＳ−７０１により、厚さ１ｃｍ以上の試料、加圧面が試料面に軽く密着する程度の約９．８Ｎ（約１ｋｇｆ）の押圧力にて、Ｘ＝２ｃｍのとき硬度１２、Ｘ＝３ｃｍのとき硬度８が好ましい。かかる硬度に敷マット１を調整すれば、人１１は脊椎の生理的湾曲が維持され、しかも傾斜面６ａ，７ａとマットの適度な沈み込みにより枕も必要ない。従って、人それぞれに心地よい睡眠を与えると共に、脊椎の不自然な湾曲が強制されることによって起こる体幹背部の不快感や腰痛、背部痛の出現を予防できる。また、頭部支持部２と胸臀部支持部３の傾斜面６ａ，７ａにより、人１１は上半身をやや起こして横たわる形となり、平面に寝た場合に多く見受けられる沈下性肺炎の予防も図られる。
【００２０】
第１体側保持部１７は、脊椎支持部１６の両側端１６ａから第２体側保持部１８に向かって突出形成されている。第１体側保持部１７は、基部１７ａから先端部１７ｂ側に向かって体躯身長方向断面Ｓａの面積が徐々に小さくなるように形成されている。また、第１体側保持部１７の体躯横断方向断面ＳｂはＶ字形となっている。すなわち、第１体側保持部１７は、脊椎支持部１６の側端１６ａから敷マット１の内部に楔状に突出した形となっている。そして、第１体側保持部１７の先端部１７ｂを包み込むように第２体側保持部１８が形成される。
【００２１】
第１体側保持部１７の硬度Ｈ１は、第２体側保持部１８の硬度Ｈ２よりも低くなっている（Ｈ１＜Ｈ２）。つまり、第１体側保持部１７は第２体側保持部１８よりも柔らかくなっている。また、第１体側保持部１７硬度Ｈ１は、脊椎支持部１６の硬度Ｈ０よりも硬度が低くなっている（Ｈ１＜Ｈ０）。一方、脊椎支持部１６の硬度Ｈ０は、第２体側保持部の硬度Ｈ２と等しいかそれよりも低くなっている（Ｈ０≦Ｈ２）。つまり、脊椎支持部１６・第１体側保持部１７・第２体側保持部１８は、第２体側保持部１８（Ｈ２）が最も硬く、次に脊椎支持部１６（Ｈ０）、そして第１体側保持部１７（Ｈ１）が最も柔らかくなっている（Ｈ１＜Ｈ０≦Ｈ２）。これらの硬度は、充填されるパイプ材の充填密度によって調整される。
【００２２】
胸臀部支持部３の一端面２６ａには、充填物出入口２７が設けられている。充填物出入口２７はファスナーにより開閉自在となっている。胸臀部支持部３の両端面２６ａ，２６ｂには、足部支持部４や頭部支持部２との接続のために、スナップボタン２８とＡＫテープ（商品名）等の面ファスナー２９がそれぞれ取り付けられている。胸臀部支持部３はスナップボタン２８と面ファスナー２９により、足部支持部４及び頭部支持部２と着脱自在となっている。胸臀部支持部３と足部支持部４及び頭部支持部２との間は、４個のスナップボタン２８により機械的に連結されると共に、４カ所の面ファスナー２９により接続面に隙間が生じないように接続される。
【００２３】
一方、足部支持部４は体躯身長方向に沿って３室に区画されている。足部支持部４には、図３に示すように専ら足部１５のみが掛かるため、そこには、脊椎支持部１６や第１及び第２体側保持部１７，１８は特に設けられておらず、単に、内部を３室に分割しただけの構造となっている。足部支持部４は特に内部を分割構造にする必要はないが、そこにパイプ材やビーズを充填する場合、型くずれを生じないように、内部を区分しておいた方が望ましい。従って、足部支持部４の分割構造も縦３室には限定されず、十字形に４室や、中央で分割した２室など、種々の構成を採ることができる。勿論、胸臀部支持部３と同様の構造にしても良いが、製造コストの面では単純な３室、４室構造の方が有利である。
【００２４】
このような敷マット１では、人１１が横たわると、その脊椎が最適な硬度で脊椎支持部１６にて支持される。そのとき、体幹の左右は比較的硬めの第２体側保持部１８によって保持される。敷マット１の内部は低反発なパイプ材が充填されており、体全体が小さな点で支持されると共に、脊椎支持部１６と第１体側保持部１７が体型にフィットし体圧が均一に分散する。このため、敷マット１上にて体が「ゆらゆら感」なく安定し、快適な仰向き姿勢で横たわることが可能となる。また、表皮５や充填パイプ材は通気性に優れており、背部が蒸れることもない。従って、この敷マット１によれば人１１の褥瘡を予防できるのみならず、腰痛や背部痛の予防も可能となる。
【００２５】
一方、敷マット１上の人１１が寝返りを打つと、体が比較的柔らかい第１体側保持部１７にて保持されつつ体幹の向きが変わる。従来の敷マットでは、このような場合、体側部のマット硬度が均一なため寝返りがしにくく、硬めに設定されたマットでは反発感があり、柔らかめの設定では体が埋もれて思うように体を転換できない。これに対しこの敷マット１では、仰向けの姿勢では適正硬度の脊椎支持部１６と柔らかな第１体側保持部１７が体を保持する一方、寝返り時には、第２体側保持部１８が体をサポートし、寝返り動作を反発感なくスムーズに行うことができる。すなわち、第２体側保持部１８が緩衝部として作用し、仰向けのみならず、寝返り、横向きなどで、反発感のない気持ち良い寝心地が実現できる。
【００２６】
本発明は前記実施の形態に限定されるものではなく、その要旨を逸脱しない範囲で種々変更可能であることは言うまでもない。
例えば、前述の実施の形態では、布製の表皮５内にパイプ材を充填し、その充填密度によって硬度差を調節する構成を示したが、硬度を異にする低反発ウレタンやスポンジ等を所定の形に成型し、それを貼り合わせて全体を形成しても良い。また、前述の実施の形態では、第１体側保持部１７を楔形に形成した例を示したが、図７に示すように体躯横断方向断面Ｓｂを楕円形としても良い。なお、第１体側保持部１７の楔形も、図７に一点鎖線にて示したように、脊椎支持部１６の両側端１６ａから直ちにＶ字形になるようにしても良い。
【００２７】
さらに、前述の実施の形態では、頭部支持部２と胸臀部支持部３の両方に傾斜面を設けた構成としたが、頭部支持部２にのみ傾斜面を設ける構成としても良い。また、頭部支持部２や胸臀部支持部３の傾斜面も少なくとも上面に形成されていれば良く、下面の傾斜面６ｂ，７ｂは必ずしも設けなくとも良い。なお、傾斜面自体を設けず、全体を略均一な高さに形成することも可能である。加えて、敷マット１の多分割構造は前述のような３分割構造には限定されず、例えば２分割、４分割構造などであっても良い。
【００２８】
一方、表皮５は通気性の良い素材であればメッシュ地以外でも良く、多孔フィルムを貼着した透湿性の撥水素材でも良い。内部充填物もパイプ材や合成樹脂製ビーズ等の流動性材料には限定されず、流動性充填物以外の合成樹脂製粒状物や合成ゴム、ポリエステル綿など種々のものを用いることができる。
【発明の効果】
本発明の敷マットによれば、敷マットを脊椎支持部と第１及び第２体側保持部とからなる立体多室構造としたので、敷マットに人が仰向けに横たわると、その脊椎が脊椎支持部にて支持されると共に、体幹の左右が第１体側保持部によって保持される。一方、敷マット上の人が寝返りを打つと、第２体側保持部が体をサポートする。従って、寝返り動作を反発感なくスムーズに行うことができ、褥瘡や腰痛をも防止すると共に、気持ちの良い寝心地を実現することが可能となる。
【図面の簡単な説明】
【図１】本発明の一実施の形態である敷マットの構成を示す斜視図である。
【図２】（ａ）は図１の敷マットの側面図、図２（ｂ）はその平面図である。
【図３】敷マットを平面上に載置し、その上に人が横たわった状態を示す説明図である。
【図４】胸臀部支持部の構成を示す斜視図である。
【図５】図４のＡ−Ａ線に沿った断面図である。
【図６】脊椎支持部の最適硬度を設定するための体型計測手法を示す説明図である。
【図７】敷マットの内部構成の変形例を示す説明図である。
【符号の説明】
１    敷マット
２    頭部支持部
３    胸臀部支持部
４    足部支持部
５    表皮
６ａ，６ｂ    傾斜面
７ａ，７ｂ    傾斜面
８    敷マット側部
９    平面
１１    人
１２    頭部
１３    胸背部
１４    臀部
１５    足部
１６    脊椎支持部
１６ａ    側端
１７    第１体側保持部
１７ａ  基部
１７ｂ  先端部
１８    第２体側保持部
１９    垂直面
２１    踵骨後面
２２    肩甲骨背側面の頂点
２３    殿部の頂点
２４    後頭骨後部の頂点
２５    後頭骨後部の頂点に接する面
２６ａ，２６ｂ    胸臀部支持部の端面
２７    充填物出入口
２８    スナップボタン
２９    面ファスナー
Ｈ０      脊椎支持部の硬度
Ｈ１      第１体側保持部の硬度
Ｈ２      第２体側保持部の硬度
Ｓａ    体躯身長方向断面
Ｓｂ    体躯横断方向断面
Ｘ      後頭骨後部の頂点に接する面と垂直面との距離
【図１】
2004181097.tif 000003
【図２】
2004181097.tif 000004
【図３】
2004181097.tif 000005
【図４】
2004181097.tif 000006
【図５】
2004181097.tif 000007
【図６】
2004181097.tif 000008
【図７】
2004181097.tif 000009